(57)【要約】      （修正有）【課題】迅速に束状にまとめるテーブル脚連動折り畳み構造を提供する。【解決手段】長板状を呈する板体１１を備えるメイン枠フレーム１０、組合せブロック１３の収容設置槽内に設置する支脚２０、組合せブロック１３上に設置するテーブル面サポートフレーム３０、その上に設置する連接板４０、支脚２０上に設置する連接板５０からなり、板体両側にはテーブル天板を連接し、板体１１は底面両端及び両端に近い適宜な箇所に、組合せ槽体１２、補助脚１４を設置し、組合せ槽体１２内には内部に収容設置槽１３１を備える組合せブロック１３を設置し、連接板５０は連接板４０と相互に連接し、テーブル天板はメイン枠フレーム１０の板体１１両側に連接され、折り畳み時には、組合せブロック１３の回転により束状にまとめた支脚２０、テーブル面サポートフレーム３０、第１連接板４０、第２連接板５０をメイン枠フレーム１０の板体１１の下に収納する。【選択図】図３
2012143378.tif 000002
【特許請求の範囲】
【請求項１】
折り畳みテーブルのテーブル脚連動折り畳み構造は、長板状を呈する板体を備えるメイン枠フレーム、支脚、組合せブロック上に設置するテーブル面サポートフレーム、該テーブル面サポートフレーム上に設置する第１連接板、該支脚上に設置する第２連接板からなり、
該板体の両側には、弾性を備える線材により、それぞれテーブル天板を連接し、該テーブル天板全体の外観は、長辺と短辺を備える長方体で、該板体は、底面両端及び両端に近い適宜の箇所に、組合せ槽体、補助脚をそれぞれ設置し、
該テーブル天板下表面の両端には、等間隔を開けて、それぞれ多数の係合孔を設置し、該組合せ槽体の底端には、組合せブロック結合固定孔を貫通状に設置し、内部には、空間を備え、組合せブロックを設置し、
該組合せブロック内部は、中空状を呈する収容設置槽で、その両側には、組合せ槽体結合固定孔を設置し、正面には、支脚設置孔とテーブル面サポートフレーム設置孔を貫通状に設置し、
該補助脚は、２段階式折り畳み式構造で、該第２連接板と相互に連接し、
該支脚は、該組合せブロックの収容設置槽内に設置し、その上には、組合せブロック設置孔と連接板設置孔を設置し、
該テーブル面サポートフレームの長さは、該テーブル天板の短辺と等しく、その前端は、下方へとある程度突出し、これにより全体的な外観は、「Ｌ」字状を呈し、該前端の下方へと突出した位置には、組合せブロック設置孔を貫通状に設置し、
該テーブル面サポートフレーム上にはさらに、連接板設置孔を設置し、フレーム本体の上表面には、固定間隔距離に応じて、多数の係合ブロックを設置し、
該第１連接板の片側辺縁には、突出した停止ブロックを設置し、本体には、第２連接板設置孔を設置し、
該第２連接板は、該第１連接板と相互に連接し、該第２連接板本体一端には、結合固定孔を設置し、該第２連接板本体の反対端には、第１連接板設置孔を設置し、該第２連接板の本体にはさらに、支脚設置孔を設置することを特徴とするテーブル脚連動折り畳み構造。
【請求項２】
前記テーブル天板は、多数枚式或いは一枚式等の形式であることを特徴とする請求項１に記載のテーブル脚連動折り畳み構造。
【請求項３】
前記組合せ槽体の組合せ槽体結合固定孔は、該組合せ槽体の組合せブロック結合固定孔と、相互に対応して、結合し固定し、
これにより、該組合せブロックは、該組合せブロック結合固定孔を支点として回転することを特徴とする請求項１に記載のテーブル脚連動折り畳み構造。
【請求項４】
前記支脚の組合せブロック設置孔は、該組合せブロックの支脚設置孔と、相互に対応して、結合固定することができ、
これにより、該支脚は、該支脚設置孔を支点として回転することを特徴とする請求項１に記載のテーブル脚連動折り畳み構造。
【請求項５】
前記テーブル面サポートフレームの組合せブロック設置孔は、該組合せブロックのテーブル面サポートフレーム設置孔と、相互に対応して、結合固定することができ、
これにより、該テーブル面サポートフレームは、該テーブル面サポートフレーム設置孔を支点として回転することを特徴とする請求項１に記載のテーブル脚連動折り畳み構造。
【請求項６】
前記テーブル面サポートフレームの係合ブロックは、該テーブル天板の係合孔と、相互に対応して係合し、
これにより、該テーブル天板は、該テーブル面サポートフレーム上に設置されることを特徴とする請求項１に記載のテーブル脚連動折り畳み構造。
【請求項７】
前記第１連接板のテーブル面サポートフレーム設置孔は、該テーブル面サポートフレームの連接板設置孔と、相互に対応して、結合固定することができ、
これにより、該第１連接板は、該連接板設置孔を支点として回転することを特徴とする請求項１に記載のテーブル脚連動折り畳み構造。
【請求項８】
前記第２連接板の第１連接板設置孔は、該第１連接板の第２連接板設置孔と、相互に対応して、結合固定することができ、
これにより、該第２連接板は、該第２連接板設置孔を支点として回転するが、その回転範囲は、該第１連接板の停止ブロックに接触するまでに限定されることを特徴とする請求項１に記載のテーブル脚連動折り畳み構造。
【請求項９】
前記第２連接板の支脚設置孔は、該支脚の連接板設置孔と、相互に対応して、結合固定することができ、これにより該第２連接板は、該連接板設置孔を支点として回転し、
該補助脚はまた、該第２連接板と、該支脚設置孔において相互に接続することを特徴とする請求項１に記載のテーブル脚連動折り畳み構造。
【請求項１０】
折り畳みテーブルのテーブル脚連動折り畳み構造は、長板状を呈する板体を備えるメイン枠フレーム、支脚、該組合せブロックに設置するテーブル面サポートフレーム、該テーブル面サポートフレーム上に設置する第１連接板、該支脚上に設置する第２連接板からなり、
該板体の両側には、それぞれ弾性を備える線材により、テーブル天板二を連接し、  該テーブル天板二全体の外観は、長辺と短辺を備える長方体で、
該板体の底面両側には、それぞれ組合せ槽体を設置し、該テーブル天板二は、一枚式で、該テーブル面サポートフレーム上に固定し、該組合せ槽体の底端には、組合せブロック結合固定孔を貫通状に設置し、内部には、空間を備え、組合せブロックを設置し、
該組合せブロック内部は、中空状を呈する収容設置槽で、その両側には、組合せ槽体結合固定孔を設置し、該組合せブロックは、回転せず、しかもその正面には、支脚設置孔とテーブル面サポートフレーム設置孔を貫通状に設置し、
該支脚は、該組合せブロックの収容設置槽内に設置し、その上には、組合せブロック設置孔と連接板設置孔を設置し、
該テーブル面サポートフレームの長さは、該テーブル天板二の長辺と等しく、その前端は、下方へとある程度突出し、これにより全体的な外観は、「Ｌ」字状を呈し、該前端の下方へと突出した位置には、組合せブロック設置孔を貫通状に設置し、該テーブル面サポートフレーム上にはさらに、連接板設置孔を設置し、
該第１連接板の片側辺縁には、突出した停止ブロックを設置し、本体には、第２連接板設置孔とテーブル面サポートフレーム設置孔を設置し、
該第２連接板は、該第１連接板と相互に連接し、該第２連接板本体一端には、結合固定孔を設置し、該第２連接板本体の反対端には、第１連接板設置孔を設置し、該第２連接板の本体にはさらに、支脚設置孔を設置することを特徴とするテーブル脚連動折り畳み構造。
【請求項１１】
前記組合せブロックの組合せ槽体結合固定孔は、該組合せ槽体の組合せブロック結合固定孔と、相互に対応して、結合固定することを特徴とする請求項１０に記載のテーブル脚連動折り畳み構造。
【請求項１２】
前記支脚の組合せブロック設置孔は、該組合せブロックの支脚設置孔と、相互に対応して、結合固定することができ、
これにより、該支脚は、該支脚設置孔を支点として回転することを特徴とする請求項１０に記載のテーブル脚連動折り畳み構造。
【請求項１３】
前記テーブル面サポートフレームの組合せブロック設置孔は、該組合せブロックのテーブル面サポートフレーム設置孔と、相互に対応して、結合固定することができ、
これにより、該テーブル面サポートフレームは、該テーブル面サポートフレーム設置孔を支点として回転することを特徴とする請求項１０に記載のテーブル脚連動折り畳み構造。
【請求項１４】
前記第１連接板テーブル面サポートフレーム設置孔は、該テーブル面サポートフレームの連接板設置孔と、相互に対応して、結合固定することができ、
これにより、該第１連接板は、該連接板設置孔を支点として回転することを特徴とする請求項１０に記載のテーブル脚連動折り畳み構造。
【請求項１５】
前記第２連接板の第１連接板設置孔は、該第１連接板の第２連接板設置孔と、相互に対応して、結合固定することができ、
これにより、該第２連接板は、該第２連接板設置孔を支点として回転するが、その回転範囲は、該第１連接板の停止ブロックに接触するまでに限定されることを特徴とする請求項１０に記載のテーブル脚連動折り畳み構造。
【請求項１６】
前記第２連接板の支脚設置孔は、該支脚の連接板設置孔と、相互に対応して、結合固定することができ、
これにより、該第２連接板は、該連接板設置孔を支点として回転することを特徴とする請求項１０に記載のテーブル脚連動折り畳み構造。
【発明の詳細な説明】
【技術分野】
【０００１】
本発明は、折り畳みテーブルのテーブル脚連動折り畳み構造に関し、特に、折り畳み時に、支脚、テーブル面サポートフレーム、複数の連接板を迅速に束状にまとめ、折り畳みに有利なテーブル脚連動折り畳み構造に関する。
【背景技術】
【０００２】
現在市場では、非常にたくさんの種類の折り畳みテーブルが売られており、折り畳み構造もそれぞれに異なる。
【０００３】
しかし、大多数の折り畳みテーブルは、構成部材が過度に多く、折り畳み動作も複雑過ぎるという欠点がある。
そのため、使用者が一人の時には、あちらこちらを動き回って操作しなければならず、さらには各部品を分解する必要さえあり、折り畳み動作を迅速に完成させることができない。
本発明は、従来の折り畳みテーブル構造の上記した欠点に鑑みてなされたものである。
【先行技術文献】
【特許文献】
【０００４】
【特許文献１】特開平１０−２６２７３８号公報
【発明の概要】
【発明が解決しようとする課題】
【０００５】
本発明が解決しようとする課題は、従来の折り畳みテーブルは構成部材が過度に多く、折り畳み動作も複雑過ぎるという欠点を解決し、構成部材が少なく、使用者が一人でも簡単に折り畳が可能な構造のテーブル脚連動折り畳み構造を提供することである。
【課題を解決するための手段】
【０００６】
上記課題を解決するため、本発明は下記のテーブル脚連動折り畳み構造を提供する。
テーブル脚連動折り畳み構造は、長板状を呈する板体を備えるメイン枠フレーム、組合せブロックの収容設置槽内に設置する支脚、該組合せブロック上に設置するテーブル面サポートフレーム、該テーブル面サポートフレーム上に設置する第１連接板、該支脚上に設置する第２連接板からなり、該板体の両側には、弾性を備える線材により、それぞれテーブル天板を連接し、
該板体は、底面両端に組合せ槽体を設置し、その両端に近い適当なところに補助脚をそれぞれ設置し、該組合せ槽体内には、内部に収容設置槽を備える組合せブロックを設置し、該第２連接板は、該第１連接板と相互に連接し、該テーブル天板は、弾性を備える線材によりメイン枠フレームの板体両側に連接され、
折り畳み時には、該テーブル面サポートフレームを下方へと回転させるだけで、該支脚、該テーブル面サポートフレーム、該第１連接板、該第２連接板を連動して、束状にまとめることができ、続いて、該組合せブロックの回転により、束状にまとめた支脚、テーブル面サポートフレーム、第１連接板、第２連接板を該メイン枠フレームの板体下に迅速に収納し、折り畳みを完成する。
【発明の効果】
【０００７】
本発明のテーブル脚連動折り畳み構造は、従来の折り畳みテーブルの構成部材が過度に多く、折り畳み動作も複雑に過ぎるという欠点を解決することができ、折り畳み時に、支脚、テーブル面サポートフレーム、第１連接板、第２連接板を迅速に束状にまとめることができる。したがって、構成部材が少なく、使用者が一人でも簡単に折り畳が可能な構造とすることができる。
【図面の簡単な説明】
【０００８】
【図１】本発明の第一実施例の多数枚式テーブル天板の展開立体図である。
【図２】本発明の第一実施例の多数枚式テーブル天板の折り畳み立体図である。
【図３】本発明の構造の分解図である。
【図４】本発明の折り畳み動作一図である。
【図５】本発明の折り畳み動作二図である。
【図６】本発明の一枚式テーブル天板の展開立体図である。
【図７】本発明の一枚式テーブル天板の折り畳み立体図である。
【図８】本発明の第二実施例の展開立体図である。
【図９】本発明の第二実施例の折り畳み立体図である。
【図１０】本発明の第二実施例の構造分解図である。
【図１１】本発明の第二実施例の折り畳み動作図である。
【発明を実施するための形態】
【０００９】
以下に図面を参照しながら本発明を実施するための最良の形態について詳細に説明する。
【実施例】
【００１０】
図１、図８に示す本発明テーブル脚連動折り畳み構造において、第一、第二実施例は共に、メイン枠フレーム１０、支脚２０、テーブル面サポートフレーム３０、第１連接板４０、第２連接板５０からなる。
【００１１】
図１〜７に示すように、本発明の実施例では、該メイン枠フレーム１０は、長板状を呈する板体１１を備える。該板体１１の両側には一対のテーブル天板６０を設けるが、弾性を備える線材により、それぞれテーブル天板６０を連接し、該板体１１は、底面両端に組合せ槽体１２を設置し、その両端に近い適当なところに補助脚１４をそれぞれ設置する。
【００１２】
図１、２、及び図６、７に示すように、該テーブル天板６０は、多数枚式(図１、２)或いは一枚式(図6、７)等の形式とすることができるが、全体外観はすべて、長辺と短辺を備える長方体で、その下表面の両端には、等間隔を開けて、それぞれ多数の係合孔６１を設置する。該係合孔６１は、図１、６中では点線により示す。
【００１３】
該組合せ槽体１２の底端には、組合せブロック結合固定孔１２１を貫通状に設置し、内部には、空間を備え、組合せブロック１３を設置する。該組合せブロック１３内部は、中空状を呈する収容設置槽１３１で、その両側には、組合せ槽体結合固定孔１３２を設置し、該組合せ槽体１２の組合せブロック結合固定孔１２１と、相互に対応して、結合し固定する。
これにより、該組合せブロック１３は、組合せブロック結合固定孔１２１を支点として回転する。
【００１４】
該組合せブロック１３の正面には、支脚設置孔１３３とテーブル面サポートフレーム設置孔１３４を貫通状に設置する。
該補助脚１４は、２段階式折り畳み式構造での第２連接板５０と相互に連接し、本発明の展開時には、安定して堅固なサポート作用を提供することができる。
【００１５】
図３に示すように、支脚２０は、該組合せブロック１３の収容設置槽１３１内に設置し、その上には、組合せブロック設置孔２１を設置し、該組合せブロック１３の支脚設置孔１３３と、相互に対応して、結合固定することができる。これにより、該支脚２０は、該支脚設置孔１３３を支点として回転する。該支脚２０上にはさらに、連接板設置孔２２を設置する。
【００１６】
図３に示すように、テーブル面サポートフレーム３０は、組合せブロック１３上に設置し、しかもその長さは、該テーブル天板６０の短辺と等しい。該テーブル面サポートフレーム３０前端は、下方へとある程度突出し、これにより全体的な外観は、「Ｌ」字状を呈する。該テーブル面サポートフレーム３０前端の下方へと突出した位置には、組合せブロック設置孔３１を貫通状に設置し、該組合せブロック１３のテーブル面サポートフレーム設置孔１３４と相互に対応して、結合固定することができる。
【００１７】
これにより、該テーブル面サポートフレーム３０は、該テーブル面サポートフレーム設置孔１３４を支点として回転する。該テーブル面サポートフレーム３０上にはさらに、連接板設置孔３２を設置し、フレーム本体の上表面には、固定間隔距離に応じて、多数の係合ブロック３３を設置し、該テーブル天板６０の係合孔６１と、相互に対応して係合する。
これにより、該テーブル天板６０は、該係合ブロック３３と該係合孔６１との相互係合により、該テーブル面サポートフレーム３０上に安定、堅固に設置される。
【００１８】
図３に示すように、該第１連接板４０は、該テーブル面サポートフレーム３０上に設置し、その片側辺縁には、突出した停止ブロック４１を設置する。
該第１連接板４０の本体には、第２連接板設置孔４３、及び該テーブル面サポートフレーム３０の連接板設置孔３２と相互に対応して結合固定するテーブル面サポートフレーム設置孔４２を設置する。
これにより、該第１連接板４０は、該連接板設置孔３２を支点として回転することができる。
【００１９】
図３に示すように、第２連接板５０は、該支脚２０上に設置し、該第１連接板４０と相互に連接し、該第２連接板５０本体一端には、結合固定孔５３を設置し、もう一つの第２連接板５０を連接することができる。該第２連接板５０本体の反対端には、第１連接板設置孔５１を設置し、該第１連接板４０の第２連接板設置孔４３と、相互に対応して、結合固定することができる。
【００２０】
これにより、該第２連接板５０は、第２連接板設置孔４３を支点として回転するが、その回転範囲は、該第１連接板４０の停止ブロック４１までに限定される。
該第２連接板５０の本体にはさらに、支脚設置孔５２を設置し、該支脚２０の連接板設置孔２２と相互に対応して、結合固定することができ、しかも該第２連接板５０も、連接板設置孔２２を支点として回転する。
また、図１に示すように、該板体１１底面の補助脚１４は、該第２連接板５０と、該支脚設置孔５２において接続する。
【００２１】
図４、５に示すように、全体構造の折り畳み時には、先ず、該テーブル天板６０を、該テーブル面サポートフレーム３０上から緩め外す。
この時、該テーブル天板６０の形式に応じて、もし多数枚式なら、裏表交互に順番に該メイン枠フレーム１０の板体１１上に重ね（図２参照）、もし一枚式なら、自然に下垂させればよい（図７参照）。
【００２２】
この後、該テーブル面サポートフレーム３０を、下方へと回転させ、これにより、該第１連接板４０は、該テーブル面サポートフレーム３０の方向へと回転し合わさる。同時に、該第２連接板５０も、該第１連接板４０の連動を受け、内側へと回転して合わさる。
この時、該第２連接板５０の回転は、該支脚２０を連動し、展開の角度を徐々に縮小し、該テーブル面サポートフレーム３０が、下方へと回転し、該板体１１と相互に垂直を呈すると、該テーブル面サポートフレーム３０、該第１連接板４０、該支脚２０の三者は、相互に平行となる。
【００２３】
最後に、該組合せブロック１３を、内側へと回転させ、該テーブル面サポートフレーム３０、該第１連接板４０、該第２連接板５０、該支脚２０は、該板体１１の底部に向かい合わさる。
同時に、該補助脚１４も、該第２連接板５０の連動を受け、該板体１１の底部へと折り畳まれ、合体し、折り畳みを完成する。
【００２４】
図４、５に示す構造は、全体構造が展開すると、先ず、該組合せブロック１３が下方へと回転し、該補助脚１４が展開する。
この後、該テーブル面サポートフレーム３０は、上方へと回転し、該第１連接板４０を下方へと回転させ、同時に、該第２連接板５０は、該第１連接板４０の連動を受け、外向きに回転する。
【００２５】
この時、該第２連接板５０の回転は、該支脚２０を連動し、徐々に展開の角度を拡大し、該テーブル面サポートフレーム３０が、上方へと回転し、該板体１１と、相互に平行を呈すると、該第２連接板５０は、該第１連接板４０の停止ブロック４１に合わさり、該第１連接板４０と、相互に平行を呈する。最後にさらに、該テーブル天板６０を、該テーブル面サポートフレーム３０上に設置し、展開を完成する。
【００２６】
図８、９、１０、１１に示すように、本発明第二実施例のメイン枠フレーム１０は、長板状を呈する板体１１を備える。
該板体１１の両側には、それぞれ弾性を備える線材により、テーブル天板（二）６２を連接する。
該テーブル天板（二）６２全体の外観は、長辺と短辺を備える長方体で、該板体１１の底面両側には、それぞれ組合せ槽体１２を設置する。この一対のテーブル天板（二）６２は、一枚式で、該テーブル面サポートフレーム３０上に固定する。
【００２７】
該組合せ槽体１２の底端には、組合せブロック結合固定孔１２１を貫通状に設置し、内部には、空間を備え、組合せブロック１３を設置する。該組合せブロック１３内部は、中空状を呈する収容設置槽１３１で、その両側には、組合せ槽体結合固定孔１３２を設置し、該組合せ槽体１２の組合せブロック結合固定孔１２１と、相互に対応して結合し固定する。
該組合せブロック１３は、回転せず、しかもその正面には、支脚設置孔１３３とテーブル面サポートフレーム設置孔１３４を貫通状に設置する。
【００２８】
図１０に示すように、支脚２０は、該組合せブロック１３の収容設置槽１３１内に設置し、その上には、組合せブロック設置孔２１を設置し、該組合せブロック１３の支脚設置孔１３３と、相互に対応して、結合固定することができる。
これにより、該支脚２０は、支脚設置孔１３３を支点として回転し、該支脚２０上にはさらに、連接板設置孔２２を設置する。
【００２９】
図１０に示すように、該テーブル面サポートフレーム３０は、組合せブロック１３に設置し、しかもその長さは、該テーブル天板(二)６２の長辺と等しく、その前端は、下方へとある程度突出し、これにより全体的な外観は、「Ｌ」字状を呈する。該前端の下方へと突出した位置には、組合せブロック設置孔３１を貫通状に設置し、該組合せブロック１３のテーブル面サポートフレーム設置孔１３４と相互に対応して、結合固定することができる。
これにより、該テーブル面サポートフレーム３０は、該テーブル面サポートフレーム設置孔１３４を支点として回転し、該テーブル面サポートフレーム３０上にはさらに、連接板設置孔３２を設置する。
【００３０】
図１０に示すように、該第１連接板４０は、該テーブル面サポートフレーム３０上に設置し、その片側辺縁には、突出した停止ブロック４１を設置する。該第１連接板４０の本体には、第２連接板設置孔４３、及び該テーブル面サポートフレーム３０の連接板設置孔３２と相互に対応して結合固定するテーブル面サポートフレーム設置孔４２を設置する。
これにより、該第１連接板４０は、該連接板設置孔３２を支点として回転することができる。
【００３１】
図１０に示すように、第２連接板５０は、該支脚２０上に設置し、該第１連接板４０と相互に連接し、該第２連接板５０本体一端には、結合固定孔５３を設置し、もう一つの第２連接板５０を連接することができる。
該第２連接板５０本体の反対端には、第１連接板設置孔５１を設置し、該第１連接板４０の第２連接板設置孔４３と、相互に対応して、結合固定することができる。これにより、該第２連接板５０は、第２連接板設置孔４３を支点として回転する。但し、その回転範囲は、該第１連接板４０の停止ブロック４１までに限定される。該第２連接板５０の本体にはさらに、支脚設置孔５２を設置し、該支脚２０の連接板設置孔２２と相互に対応して、結合固定することができ、しかも該第２連接板５０も、連接板設置孔２２を支点として回転する。
【００３２】
図１１に示すように、全体構造の折り畳み時には、該テーブル面サポートフレーム３０を下方へと回転させ、これにより、該第１連接板４０は、該テーブル面サポートフレーム３０の方向へと回転し合わさる。
同時に、該第２連接板５０は、該第１連接板４０の連動を受け、内側へと回転して合わさる。
この時、該第２連接板５０の回転は、該支脚２０を連動し、展開の角度を徐々に縮小し、該テーブル面サポートフレーム３０が、下方へと回転し、該板体１１と相互に垂直を呈すると、該テーブル面サポートフレーム３０、該第１連接板４０、該支脚２０の三者は、相互に平行となり、折り畳みを完成する。
【００３３】
図１１に示す構造は、全体構造が展開すると、先ず、該テーブル面サポートフレーム３０を上方へと回転させ、これにより該第１連接板４０は下方へと回転し、同時に、該第２連接板５０は、該第１連接板４０の連動を受け、外向きに回転する。
この時、該第２連接板５０の回転は、該支脚２０を連動し、徐々に展開の角度を拡大し、該テーブル面サポートフレーム３０が、上方へと回転し、該板体１１と、相互に平行を呈すると、第２連接板５０は、該第１連接板４０の停止ブロック４１に合わさり、該第１連接板４０と、相互に平行を呈する。
最後にさらに、該テーブル天板(二)６２を、該テーブル面サポートフレーム３０上に設置し、展開を完成する。
【００３４】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００３５】
本発明は特許の要件である新規性を備え、従来の同類製品に比べ十分な進歩を有し、実用性が高く、社会のニーズに合致しており、産業上の利用価値は非常に大きい。
【符号の説明】
【００３６】
１０  メイン枠フレーム
１１  板体
１２  組合せ槽体
１２１  組合せブロック結合固定孔
１３  組合せブロック
１３１  収容設置槽
１３２  組合せ槽体結合固定孔
１３３  支脚設置孔
１３４  テーブル面サポートフレーム設置孔
１４  補助脚
２０  支脚
２１  組合せブロック設置孔
２２  連接板設置孔
３０  テーブル面サポートフレーム
３１  組合せブロック設置孔
３２  連接板設置孔
３３  係合ブロック
４０  第１連接板
４１  停止ブロック
４２  テーブル面サポートフレーム設置孔
４３  第２連接板設置孔
５０  第２連接板
５１  第１連接板設置孔
５２  支脚設置孔
５３  結合固定孔
６０  テーブル天板
６１  係合孔
６２  テーブル天板（二）
【図１】
2012143378.tif 000003
【図２】
2012143378.tif 000004
【図３】
2012143378.tif 000005
【図４】
2012143378.tif 000006
【図５】
2012143378.tif 000007
【図６】
2012143378.tif 000008
【図７】
2012143378.tif 000009
【図８】
2012143378.tif 000010
【図９】
2012143378.tif 000011
【図１０】
2012143378.tif 000012
【図１１】
2012143378.tif 000013